(57)【特許請求の範囲】
【請求項１】
送電線鉄塔の左右両側に相違するカテナリ角をもって張設された送電線をジャンパ線により接続するジャンパ装置において、
カテナリ角が小さい方の送電線を前記送電線鉄塔に支持しているがいし装置のその送電線側に上端側を支持させた支持装置の下端部により前記ジャンパ線を支持させて、
前記ジャンパ線の前記支持装置の下端部による支持点と前記カテナリ角が小さい方の送電線側の端部との間及び前記ジャンパ線の前記支持装置の下端部による支持点と前記カテナリ角が大きい方の送電線側の端部との間に生じる二つの弛みの最下端を前記送電線鉄塔の前記がいし装置を取り付けたアームの中心を通る垂直線よりも前記ジャンパ線のそれぞれの端部側に位置させたことを特徴とするジャンパ装置。
【請求項２】
ジャンパ線は上下に配置された複数本であり、支持装置の下端部は、前記全てのジャンパ線を離間した位置に把持する固定金具の上端部に揺動自在に連結されていることを特徴とする請求項１に記載のジャンパ装置。
【発明の詳細な説明】
【０００１】
【発明の属する技術分野】
本発明は、送電線鉄塔の左右両側に異なるカテナリ角をもって張設された送電線をジャンパ線により接続するジャンパ装置に関する。
【０００２】
【従来の技術】
従来、ジャンパ装置は、送電線鉄塔のアームの左右両側に設けられた耐張がいし装置にそれぞれジャンパ支持装置を設け、それらのジャンパ支持装置の下端の間に剛性の水平材を設けて、その水平材にジャンパ線を添設している（例えば、実開昭６０−５１７２５号公報等）。しかし、水平材を用いるジャンパ装置は、装置が大掛かりになるので、これを避けるために、水平材を用いることなく両側のジャンパ支持装置でジャンパ線を吊上げるジャンパ装置も提案されている。
【０００３】
【発明が解決しようとする課題】
しかしながら、上記従来の水平材を用いないジャンパ装置は、送電線鉄塔の左右両側に位置する送電線の水平線に対する角度（カテナリ角）が大きい場合は、カテナリ角が小さい場合よりも、ジャンパ線の深さ（送電線鉄塔のアームからジャンパ線までの距離）が大きくなる。従って、所要の絶縁距離を確保するためには、アーム間距離を大きくしなければならず、送電線鉄塔が大型化してしまうという不都合があった。
【０００４】
そこで、本発明は、上記欠点を解決するためになされたものであって、その目的は、送電線鉄塔の左右両側に異なるカテナリ角をもって張設された送電線をジャンパ線により接続するジャンパ装置において、カテナリ角が大きい場合にも、ジャンパ線の深さを可及的に小さくすることができるジャンパ装置を提供することにある。
【０００５】
【課題を解決するための手段】
本発明は、上記目的を達成するために、送電線鉄塔を中心にした左右両側に相違するカテナリ角をもって張設された送電線をジャンパ線により接続するジャンパ装置において、カテナリ角が小さい方の送電線を前記送電線鉄塔に支持しているがいし装置のその送電線側に上端側を支持させた支持装置の下端部により前記ジャンパ線を支持させて、前記ジャンパ線の前記支持装置の下端部による支持点と前記カテナリ角が小さい方の送電線側の端部との間及び前記ジャンパ線の前記支持装置の下端部による支持点と前記カテナリ角が大きい方の送電線側の端部との間に生じる二つの弛みの最下端を、前記送電線鉄塔の前記がいし装置を取り付けたアームの中心を通る垂直線よりも前記ジャンパ線のそれぞれの端部側に位置させたことを特徴としている。
ジャンパ線は、上下に配置された複数本であり、支持装置の下端部は、前記全てのジャンパ線を離間した位置に把持する固定金具の上端部に揺動自在に連結されていることを特徴としている。
【０００６】
【発明の実施の形態】
以下、本発明の実施の形態を図面に基づいて説明する。図１は、一実施の形態に係るジャンパ装置を示すものであって、図示しない送電線鉄塔のアームＡを中心にした正面図であって、そのアームＡの先端を鉄塔方向に見た図、図２（ａ）は、図１のＸ1 −Ｘ1 線拡大断面図、同図（ｂ）は、図２（ａ）の右側面図である。
【０００７】
アームＡに対する送電線の接続は、アームＡの左右両側において同じであるので、アームＡの左側に位置する送電線の接続について説明すると、図１中、Ｌ1 〜Ｌ4 は、４導体からなる送電線であって、それら送電線Ｌ1 〜Ｌ4 は、送電線の伸張方向に直交する平面に対する交点が正方形の各頂点に対応する位置に配置されている。そして、これら送電線のうち、送電線Ｌ1 ，Ｌ2 は上側に位置する上線であり、送電線Ｌ3 ，Ｌ4 は下側に位置する下線である。
【０００８】
これら送電線Ｌ1 〜Ｌ4 は、クランプＣ1 〜Ｃ4 、連結金具類Ｋ1 〜Ｋ4 、４導体２連耐張用の固定ヨークＹ、連結金具Ｋ0 、２連のがいし連Ｂ1 ，Ｂ2 及び連結金具類Ｋ5 ，Ｋ6 を介して送電線鉄塔のアームＡにそれぞれ支持されている。アームＡの右側に位置する送電線Ｌ1 〜Ｌ4 も上述と同様にしてアームＡに支持されている。
【０００９】
アームＡの左右両側に張設された送電線Ｌ1 〜Ｌ4 ，Ｌ1 〜Ｌ4 のカテナリ角は、アームＡの左側ではα1 であり、その右側では、左側のカテナリ角α1 よりも大きいα2 である。
【００１０】
図１中、Ｊ1 〜Ｊ4 は左右の送電線Ｌ1 〜Ｌ4 ，Ｌ1 〜Ｌ4 をそれぞれ接続しているジャンパ線である。すなわち、上側のジャンパ線Ｊ1 ，Ｊ2 は、アームＡの左右両側の上側の送電線Ｌ1 ，Ｌ2 、Ｌ1 ，Ｌ2 にそれぞれ対応しており、また、残りのジャンパ線Ｊ3 ，Ｊ4 は、アームＡの左右両側の下側の送電線Ｌ3 ，Ｌ4 、Ｌ3 ，Ｌ4 にそれぞれ対応している。そして、これらジャンパ線Ｊ1 〜Ｊ4 も、図２（ａ）に示されるように、送電線Ｌ1 〜Ｌ4 と同様に、正方形の各頂点に対応する位置に配置されている。すなわち、これらジャンパ線Ｊ1 〜Ｊ4 は、固定金具１０の４つの懸垂型のクランプ２０ａ〜２０ｄ及び所定の間隔を保って設けられた複数のスペーサＳ，Ｓ…により、上述の正方形の頂点位置に位置決めされている。これら固定金具１０及びスペーサＳについては、後に詳述する。
【００１１】
本発明においては、カテナリ角の小さい側（図示の例ではアームＡの左側）にのみ支持装置１が設けられている点に特徴の第１点がある。支持装置１は、一端側（上端側）が固定ヨークＹに接続され、他端側（下端側）が固定金具１０に接続されている。この支持装置１は、図示しないが固定ヨークＹ側に設けられる複数段の連結金具類と、上端がそれら連結金具類の最下段の接続金具類に接続されたラダー金具と、そのラダー金具の下端に接続された複数の連結金具類とから構成されている。そして、これら連結金具類の最下段の連結金具類は、図２（ａ）に示すように、固定金具１０のクレビス部１１に支軸によりその支軸周りに回転自在に接続されている。なお、アームＡの右側、すなわち、カテナリ角の大きい方には、支持装置１が設けられていない。
そして、ジャンパ線の支持装置の下端部による支持点（固定金具１０の取付位置）とジャンパ線のカテナリ角が小さい方の送電線側の端部との間及びジャンパ線の支持装置の下端部による支持点とジャンパ線のカテナリ角が大きい方の送電線側の端部との間に生じる二つの弛みの最下端が送電線鉄塔のがいし装置を取り付けたアームの中心を通る垂直線よりもジャンパ線のそれぞれの端部側に寄った位置に存在するように、固定金具１０の取付位置を設定した点に特徴の第２点がある。
【００１２】
固定金具１０は、図２（ａ），（ｂ）に示されるように、上側のジャンパ線Ｊ1 ，Ｊ2 を支持するための上部片１０ａと、下側のジャンパ線Ｊ3 ，Ｊ4 を支持するための下部片１０ｂと、上部片１０ａ及び下部片１０ｂを接続する接続片１０ｃとを有している。
【００１３】
上部片１０ａは、中央上部に支持装置１の下部のＩ型の接続金具類４を支持するクレビス部１１を有し、このクレビス部１１を中心に左右両側に所定の等距離を保って凹状のクランプ受部１２ａ，１２ｂをそれぞれ有し、また、この上部片１０ａのクレビス部１１と反対側である下側には、下向きのクレビス部１１′が設けられていて、そのクレビス部１１にＩ型の接続片１０ｃが支軸によりその支軸周りに回転自在に接続されている。
【００１４】
下部片１０ｂは、中央上部に接続片１０ｃの下部を支軸によりその支軸周りに回転自在に接続するクレビス部１０ｂ′を有し、このクレビス部１０ｂ′を中心に左右両側に所定の等距離を保って凹状のクランプ受部１２ｃ，１２ｄをそれぞれ有している。これら上部片１０ａ、下部片１０ｂ及び接続片１０ｃの大きさは、各クランプ受部１２ａ〜１２ｄにそれぞれ設けられる懸垂型のクランプ２０ａ〜２０ｄで固定されるジャンパ線Ｊ1 〜Ｊ4 の位置が所定の正方形の頂点に対応する位置となるように設定されている。
【００１５】
各懸垂クランプ２０ａ〜２０ｄは同一形状であるので、以下、クランプ２０ａについて図３（ａ），（ｂ）を用いて説明する。なお、図２（ａ）において、クランプ２０ｂ，２０ｄは、クランプ２０ａ，２０ｃと対称の関係を保ってクランプ受部１２ｂ，１２ｄにそれぞれ設けられている。
【００１６】
図３（ａ）は、ジャンパ線Ｊ1 の伸張方向から見たクランプ２０ａの正面図であり、また、同図（ｂ）は、同図（ａ）の右側面図である。クランプ２０ａは、上面に凹条溝３０ａを有する受部３０と、下面に凹条溝３１ａを有するカバー部３１と、受部３０とカバー部３１とを凹条溝３０ａに凹条溝３１ａを対向させた状態で締結して固定する一対のボルトナットからなる締め具３２ａ，３２ｂとで構成されており、凹条溝３０ａと凹条溝３１ａとにジャンパ線Ｊ1 を嵌合しジャンパ線Ｊ1 を挟持するものである。
【００１７】
受部３０の左右両側には、ジャンパ線Ｊ1 の伸張方向と水平線に沿って直交する方向に開けられた穴３３ａ，３３ｂがそれぞれ設けられていて、これら穴３３ａ，３３ｂに支軸３４ａ，３４ｂがそれぞれ挿入できるように構成されている。そして、このクランプ２０ａを受入れるクランプ受部１２ａ（図２（ａ）参照）には、これら穴３３ａ，３３ｂに対向した位置に穴３５ａ，３５ｂがそれぞれ設けられていて、これら穴３５ａ，３５ｂに支軸３４ａ，３４ｂが挿入されてクランプ２０ａをクランプ受部１２ａに対して支軸３４ａ，３４ｂの周りに回転自在に設けている。
【００１８】
上記構成のジャンパ装置において、支持装置１の下部のジャンパ線Ｊ1 〜Ｊ4 は、各ジャンパ線を所定の位置に位置決めすることのできる固定金具１０を介して上線（Ｊ1 ，Ｊ2 ）及び下線（Ｊ3 ，Ｊ4 ）が支持されているので、ジャンパ保持能力（ジャンパ線の相互間隔を一定に保つ能力）に優れ、また、各ジャンパ線Ｊ1 〜Ｊ4 は、回動自在に支持されているので、ジャンパ装置が揺動しても電線歪みを効果的に防止することができる。
【００１９】
図４は、図１のＸ2 −Ｘ2 拡大断面図であり、ジャンパ線Ｊ1 〜Ｊ4 の伸張方向から見た一つのスペーサＳの正面図である。このスペーサＳは、ジャンパ線Ｊ1 〜Ｊ4 の伸張方向から見たときの形状がＸ字状を呈した一体化された１個の金具からなり、そのＸ字状の４つ先端部にジャンパ線Ｊ1 〜Ｊ4 をそれぞれ固定する把持部Ｓ′，Ｓ′…が設けられている。
【００２０】
なお、上述の例では、送電線及びジャンパ線が多導体の例であるが、単導体であってもよい。また、多導体の場合は、上述の４導体以外に、逆三角形状の３導体、垂直状の２導体、あるいは６導体等の多導体であってもよい。さらに、がいし連は、１連、３連、あるいは４連等であってもよい。
【００２１】
【発明の効果】
本発明によれば、送電線鉄塔を中心にした左右両側にカテナリ角をもって張設された送電線をジャンパ線により接続するジャンパ装置において、カテナリ角が小さい方の送電線を前記送電線鉄塔に支持しているがいし装置のその送電線側に上端側を支持させた支持装置の下端部により前記ジャンパ線を支持させて、前記ジャンパ線の前記支持装置の下端部による支持点と前記カテナリ角が小さい方の送電線側の端部との間及び前記ジャンパ線の前記支持装置の下端部による支持点と前記カテナリ角が大きい方の送電線側の端部との間に生じる二つの弛みの最下端を、前記送電線鉄塔の前記がいし装置を取り付けたアームの中心を通る垂直線よりも前記ジャンパ線のそれぞれの端部側に位置させたので、第１に、一つの支持装置のみでジャンパ線を支持することによって、ジャンパ線の深さを小さくすることができる。第２に、支持装置は片側のみに設けられるので、コスト削減効果が得られる。
【００２２】
請求項２の発明によれば、支持装置から各ジャンパ線に対する負荷が均等に加わるので、ジャンパ線がこじれなどにより痛むことが防止される。
【図面の簡単な説明】
【図１】  本発明の一実施の形態に係るジャンパ装置を示すものであって、アームの伸張方向に対向する方向から見た正面図である。
【図２】  （ａ）は、図１のＸ1 −Ｘ1 線拡大断面図、（ｂ）は、同図（ａ）の右側面図である。
【図３】  （ａ）は、ジャンパ線の伸張方向からクランプの見た正面図、（ｂ）は、同図（ａ）の右側面図である。
【図４】  図１のＸ2 −Ｘ2 線拡大断面図である。
【符号の説明】
Ｌ1 〜Ｌ4   送電線
Ａ  アーム
Ｊ1 〜Ｊ4   ジャンパ線
Ｓ  スペーサ
１  支持装置
１０  固定金具
１０ａ  上部片
１０ｂ  下部片
１０ｃ  接続片
２０ａ〜２０ｄ  クランプ
３０  受部
３１  カバー部
３３ａ，３３ｂ  穴
３４ａ，３４ｂ  支軸
３５ａ，３５ｂ  穴
【図１】
0004149181.tif 000002
【図２】
0004149181.tif 000003
【図３】
0004149181.tif 000004
【図４】
0004149181.tif 000005